(57)【要約】【課題】伸縮可能なベルトを、第一プーリと第二プーリの軸間距離を固定したまま巻掛けるに際し、第一プーリの外周に設置して使用するベルト取付治具を簡素な且つコンパクトな構造にし、使い勝手の良いものへと改良することにある。【解決手段】ベルト取付治具９は、クランクプーリ２の外周上に配置され、クランクプーリ２の側面２ｃからプーリフランジ２ｂを跨いでクランクプーリ２の外周に導入されるＶリブドベルト４の張力によって押圧されるプーリ押圧部１０と、プーリ押圧部１０の側面１０ａに設けられ、クランクプーリ２の側面２ｃからプーリ押圧部１０上を交差してクランクプーリ２の外周に導入されるＶリブドベルト４を屈曲してクランクプーリ２の外周に沿わせるための屈曲案内部１１と、プーリ押圧部１０の裏面に設けられ、クランクプーリ２の外周面に設けられたプーリ溝２ａに嵌合するリブ１２とを備えている。【選択図】図３
2011208753.tif 000002
【特許請求の範囲】
【請求項１】
第一プーリと第二プーリの間に、周長方向に伸縮可能なベルトを、前記第一プーリと前記第二プーリの軸間距離を固定したまま巻掛けるに際し、前記第一プーリの外周に設置して使用する、ベルト取付治具であって、
前記第一プーリの外周上に配置され、前記ベルトの張力によって前記第一プーリの外周に対して押圧されるプーリ押圧部と、
前記プーリ押圧部の側面に設けられ、前記第一プーリの側面から縁を跨いで前記第一プーリの外周に導入される前記ベルトを屈曲して前記第一プーリの外周に沿わせるための屈曲案内部と、
前記プーリ押圧部の裏面に設けられ、前記第一プーリの外周面に設けられた溝に嵌合する嵌合部と、
を備えたことを特徴とするベルト取付治具。
【請求項２】
前記プーリ押圧部の側面に設けられた前記屈曲案内部は、少なくとも前記ベルトを屈曲させる部分が前記プーリ押圧部上に張り出し、Ｌ字型をしていることを特徴とする請求項１に記載のベルト取付治具。
【請求項３】
前記プーリ押圧部の側面において、前記ベルトが前記第一プーリの外周に導入される側に前記屈曲案内部を設け、前記屈曲案内部を設けた側面と同一の側面であり、且つ、少なくとも前記屈曲案内部を設けた側とは反対側に前記第一プーリの側面に当接する当接部を備えたことを特徴とする請求項１又は２に記載のベルト取付治具。
【請求項４】
前記嵌合部は、前記第一プーリの外周面に設けられた溝の数と同一数のリブであることを特徴とする請求項１〜３の何れかに記載のベルト取付治具。
【請求項５】
前記嵌合部は、１つのリブであることを特徴とする請求項３に記載のベルト取付治具。
【請求項６】
前記プーリ押圧部は、前記屈曲案内部に前記ベルトを沿わせた形状をしていることを特徴とする請求項１〜５の何れかに記載のベルト取付治具。
【発明の詳細な説明】
【技術分野】
【０００１】
本発明は、ベルト取付治具に関する。詳しくは、第一プーリと第二プーリの間へのベルトの巻掛け技術に関する。
【背景技術】
【０００２】
一般に、複数のプーリにベルトを巻掛けてなるベルト伝動機構では、プーリ間で確実に動力を伝達させるために装着対象であるプーリ間のレイアウト周長よりもベルト周長を短くしてベルトに強い張力がかかるようになっている。
【０００３】
このようにプーリ間のレイアウト周長よりもベルト周長が短いベルトをプーリに巻掛ける作業は手間がかかることがある。この手間を軽減させるために、特許文献１には、ベルトを周方向に伸長させてプーリ外周に巻掛ける作業を補助する治具が開示されている。
【０００４】
具体的には、特許文献１は、プーリ及びベルト間に挟着する挟着部と、幅方向にベルトが外れるのを規制する外れ止めとを備えており、挟着部表面に傾斜面及びガイド面が形成されているベルト取り付け及び取り外し兼用治具を開示する。この挟着部表面の傾斜面は、ベルトを挟着部表面のプーリ軸方向に滑らせてプーリから取り外す易くするために設けられている。また、挟着部表面に設けられたガイド面は、曲面状をしており、ベルトを取り付ける際、挟着部表面に滑らかに滑り込ませるために設けられている。
【先行技術文献】
【特許文献】
【０００５】
【特許文献１】特開２００９−１１５１５０号公報
【発明の概要】
【発明が解決しようとする課題】
【０００６】
しかし、上記特許文献１の構成では、挟着部表面に傾斜面及びガイド面を形成する領域（挟着部の厚み）を確保するために、挟着部の厚みを厚くせざるを得ず、これ以上コンパクトにすることができない。
【０００７】
そこで、本発明は、上記のような課題を解決するためになされたものであり、その目的は、第一プーリと第二プーリの間に、周長方向に伸縮可能なベルトを、前記第一プーリと前記第二プーリの軸間距離を固定したまま巻掛けるに際し、前記第一プーリの外周に設置して使用するベルト取付治具を、簡素な且つコンパクトな構造にし、且つ、使い勝手の良いものへと改良することにある。
【課題を解決するための手段】
【０００８】
上記課題を解決するための第１の発明は、第一プーリと第二プーリの間に、周長方向に伸縮可能なベルトを、前記第一プーリと前記第二プーリの軸間距離を固定したまま巻掛けるに際し、前記第一プーリの外周に設置して使用する、ベルト取付治具であって、前記第一プーリの外周上に配置され、前記ベルトの張力によって前記第一プーリの外周に対して押圧されるプーリ押圧部と、前記プーリ押圧部の側面に設けられ、前記第一プーリの側面から縁を跨いで前記第一プーリの外周に導入される前記ベルトを屈曲して前記第一プーリの外周に沿わせるための屈曲案内部と、前記プーリ押圧部の裏面に設けられ、前記第一プーリの外周面に設けられた溝に嵌合する嵌合部と、
を備えたことを特徴としている。
【０００９】
上記のベルト取付治具は、以下のようにして用いる。先ず、前記屈曲案内部が設けられている側面が手前となるようにして、前記プーリ押圧部の裏面に設けられた前記嵌合部を前記第一プーリの外周面に設けられた溝に嵌合させた状態で、前記ベルトを前記第二プーリに巻掛けすると共に、前記第一プーリの側面から前記第一プーリの縁を跨いで、前記屈曲案内部で屈曲させたうえで前記プーリ押圧部上を交差させて前記第一プーリの外周に沿わせる。次に、前記屈曲案内部における前記ベルトを屈曲させる側を回転方向として前記第一プーリを回転させる。すると、前記ベルトには、伸張されることにより高い張力が発生する。上記張力は、前記ベルトが前記プーリ押圧部上を交差しているので前記プーリ押圧部を前記第一プーリの外周に対して押圧する押圧作用として働き、前記プーリ押圧部の裏面に設けられた前記嵌合部と前記第一プーリの外周面に設けられた前記溝との嵌合をより強固にする。継続して前記第一プーリを同一方向に回転させると、前記第一プーリの側面上にある前記ベルトが前記第一プーリの縁を乗り越えて、前記プーリ押圧部上に移動し、まもなく、前記プーリ押圧部上の前記ベルトが前記プーリ押圧部を離れて前記第一プーリの外周へと移動する。この移動後、前記ベルト取付治具を前記第一プーリの外周から回収する。
【００１０】
ここで、本願発明に係るベルト取付治具は、前記ベルトが前記プーリ押圧部上を交差しているので前記プーリ押圧部を前記第一プーリの外周に対して押圧する押圧作用として働き、前記プーリ押圧部の裏面に設けられた前記嵌合部と前記第一プーリの外周面に設けられた前記溝との嵌合をより強固にするようになっている。
【００１１】
また、本発明に係るベルト取付治具（以下、本願治具とも称する）を特許文献１に開示のベルト取り付け及び取り外し兼用治具（以下、引例治具１とも称する。）と比較すると、本願治具は、引例治具１の挟着部表面にある傾斜面を有していない。もっとも、引例治具１の挟着部表面の傾斜面は、プーリからベルトを取り外す際、ベルトを挟着部表面のプーリ軸方向に滑らせてプーリから取り外すという役割を果たすものであり、本願治具とはその用途が違う。また、本願治具は、引例治具１の挟着部表面にあるガイド面を有していない。もっとも、引例治具１の挟着部表面に設けられたガイド面は、ベルトを取り付ける際、ベルトを挟着部表面に滑らかに滑り込ませて挟着部表面に案内する役割を果たすが、本願治具では、プーリ押圧部の側面に設けられた屈曲案内部が同様の役割を果たす。従って、本願治具は、プーリ押圧部表面に傾斜面及びガイド面を形成する領域（プーリ押圧部の厚み）を確保する必要はなく、プーリ押圧部の厚みを薄くしてコンパクトな構成にすることができる。
【００１２】
また、第２の発明は、第１の発明に係るベルト取付治具において、前記プーリ押圧部の側面に設けられた前記屈曲案内部は、少なくとも前記ベルトを屈曲させる部分が前記プーリ押圧部上に張り出し、Ｌ字型をしていることを特徴としている。
【００１３】
上記の構成によれば、屈曲案内部は、少なくともベルトを屈曲させる部分がプーリ押圧部上に張り出しＬ字型をしているため、屈曲案内部の強度をあげることができる。これにより、屈曲案内部にかかるベルトの張力に十分に耐えることができる。
【００１４】
また、第３の発明は、第１又は第２の発明に係るベルト取付治具の前記プーリ押圧部の側面において、前記ベルトが前記第一プーリの外周に導入される側に前記屈曲案内部を設け、前記屈曲案内部を設けた側面と同一の側面であり、且つ、少なくとも前記屈曲案内部を設けた側とは反対側に前記第一プーリの側面に当接する当接部を備えたことを特徴としている。
【００１５】
上記の構成によれば、前記第一プーリの側面に当接する当接部を設けることにより、前記第一プーリの外周上でのベルト取付治具の姿勢が一層安定し、もって、ベルトの張力によってベルト取付治具が第一プーリの外周から外れてしまうのを抑制できる。また、当接部は、第一プーリの側面に当接した状態で、ベルトが跨ぐ第一プーリの縁部分に位置するため、当該ベルト取付治具を使用する際に、ベルトと第一プーリの縁とが接触するのを防ぎ、もって、ベルトが損傷するのを防止することができる。
【００１６】
また、第４の発明は、第１〜第３の発明の何れかに係るベルト取付治具において、前記嵌合部は、前記第一プーリの外周面に設けられた溝の数と同一数のリブであることを特徴としている。
【００１７】
上記の構成によれば、プーリ押圧部の裏面に、嵌合部として第一プーリの外周面に設けられた溝の数と同一数のリブを設けることにより、第一プーリの外周面に設けられた溝とこの溝と同一数のリブとをより強固に嵌合させることができる。そうすると、第一プーリの外周上でのベルト取付治具の姿勢が一層安定し、もって、ベルトの張力によってベルト取付治具が第一プーリの外周から外れてしまうのを抑制できる。
【００１８】
また、第５の発明は、第３の発明に係るベルト取付治具において、前記嵌合部は、１つのリブであることを特徴としている。
【００１９】
上記の構成では、プーリ押圧部の裏面に、嵌合部として１つだけリブを設けている。これによれば、ベルト取付治具の構造を簡素化してよりコンパクトにすることができる。なお、第一プーリの外周上でのベルト取付治具の姿勢が不安定化するとも思えるが、この一つのリブと当接部とで第一プーリを挟持することで、第一プーリの外周上でのベルト取付治具の姿勢の安定化を図っている。
【００２０】
また、第６の発明は、第１〜第５の発明の何れかに係るベルト取付治具において、前記プーリ押圧部は、前記屈曲案内部に前記ベルトを沿わせた形状をしていることを特徴としている。
【００２１】
上記の構成では、プーリ押圧部は、屈曲案内部にベルトを沿わせた形状にしているため、プーリ押圧部を必要最小限度のコンパクトな構造にすることができる。また、プーリ押圧部の表面積を減らすことで、ベルトがプーリ押圧部を第一プーリの外周に対して押圧する単位面積あたりの押圧力を大きくすることができる。これにより、第一プーリの外周上でのベルト取付治具の姿勢が一層安定し、もって、ベルトの張力によってベルト取付治具が第一プーリの外周から外れてしまうのを抑制できる。
【発明の効果】
【００２２】
第一プーリと第二プーリの間に、周長方向に伸縮可能なベルトを、前記第一プーリと前記第二プーリの軸間距離を固定したまま巻掛けるに際し、前記第一プーリの外周に設置して使用するベルト取付治具を、簡素な且つコンパクトな構造にし、且つ、使い勝手の良いものへと改良することができる。
【図面の簡単な説明】
【００２３】
【図１】第１実施形態に係るエンジン本体の部分斜視図である。
【図２】第１実施形態に係るクランクプーリの断面図である。
【図３】第１実施形態に係るベルト取付治具の斜視図である。
【図４】第１実施形態に係るベルト取付治具の六面図である。
【図５】（ａ）は図３（ａ）の拡大図であり、（ｂ）は図３（ｃ）の拡大図である。
【図６】第１実施形態に係るベルト取付治具の使用方法の第一説明図である。
【図７】第１実施形態に係るベルト取付治具の使用方法の第二説明図である。
【図８】第１実施形態に係るベルト取付治具の使用方法の第三説明図である。
【図９】第１実施形態に係るベルト取付治具の使用方法の第四説明図である。
【図１０】第２実施形態に係るベルト取付治具の斜視図である。
【図１１】第２実施形態に係るベルト取付治具の六面図である。
【発明を実施するための形態】
【００２４】
（第１実施形態）
以下、図面を参照しつつ、本願発明の第１実施形態を説明する。本実施形態に係るベルト取付治具は、クランクプーリ２とオルタネータのオルタネータプーリ３との間にＶリブドベルト４を掛巻するのに用いている。先ず、図１を参照しつつ、クランクプーリ２とオルタネータプーリ３に対するＶリブドベルト４の巻掛けを説明し、図２を参照しつつ、クランクプーリ２の構造を説明する。
【００２５】
図１に示されるように、エンジン本体１には、エンジンのクランク軸に連結されるクランクプーリ２（第一プーリ）と、オルタネータの入力軸に連結されるオルタネータプーリ３（第二プーリ）と、が所定の軸間距離を隔てて回転自在に支持される。このクランクプーリ２とオルタネータプーリ３との間には、実線と破線で示すＶリブドベルト４が掛巻され、もって、クランク軸の動力が、クランクプーリ２、Ｖリブドベルト４、オルタネータプーリ３を順に介してオルタネータの入力軸に伝動されるようになっている。本実施形態では、クランクプーリ２とオルタネータプーリ３との間の軸間距離は変更不能とされ、また、図示するように、Ｖリブドベルト４に対して張力を付与する所謂オートテンショナ（張力付与手段）は搭載しない。
【００２６】
（クランクプーリの構造）
図２に示すように、クランクプーリ２は、Ｖリブドベルト４の内周に形成されるリブ４ａと嵌合可能な５つのプーリ溝２ａを有し、この５つのプーリ溝２ａをプーリ軸方向で挟む一対のプーリフランジ２ｂ（第一プーリの縁）を備えている。このプーリフランジ２ｂは、図２の断面視で、上記プーリ溝２ａよりプーリ径方向外側へ若干、突出して形成されている。また、クランクプーリ２のボス部５には、エンジンの図示しないクランク軸が挿入される。符号２ｃは、クランクプーリ２の側面を示す。なお、上記のＶリブドベルト４は、その周長方向において若干伸縮可能な所謂低モジュラスベルトである。低モジュラスベルトは、心線にポリアミド繊維を用いることで、弾性率を比較的低くしたものであり、高弾性率のもの（所謂高モジュラスベルト）と比較して急激な張力低下が抑制される。
【００２７】
なお、図１の太線矢印はＶリブドベルト４の走行方向を示し、この走行方向にＶリブドベルト４が走行するときのクランクプーリ２の回転方向を第一回転方向Ａと、この第一回転方向Ａと反対の方向を第二回転方向Ｂと、定義する。
【００２８】
（ベルト取付治具９の構成）
次に、図３〜５を参照しつつ、本実施形態に係るベルト取付治具９の構成を説明する。図３は、本発明の第１実施形態に係るベルト取付治具９の斜視図である。図３（ａ）〜（ｄ）は、夫々、上記ベルト取付治具９を異なる方向から見た斜視図である。図４は、本発明の第１実施形態に係るベルト取付治具９の六面図である。図５（ａ）は図３（ａ）の拡大図であり、図５（ｂ）は図３（ｃ）の拡大図である。
【００２９】
図３〜４には、コンパクトであってまとまりよく、一体的に形成されたベルト取付治具９が様々な方向から描かれている。
【００３０】
図５に示されるように、ベルト取付治具９は、プーリ押圧部１０と、プーリ押圧部１０の裏面に設けられたリブ１２（嵌合部）と、屈曲案内部１１とを主たる構成として備える。このベルト取付治具９は、更に、当接部１５を備える。このベルト取付治具９は、クランクプーリ２幅に略等しく、クランクプーリ２の外周に当接して使用するものであって、屈曲案内部１１及び当接部１５が図１に示されるクランクプーリ２の側面２ｃ上方に位置するように向きを定めて用いる。
【００３１】
プーリ押圧部１０は、図６に示すようにベルト取付治具９がクランクプーリ２の外周に当接された状態で、プーリ溝２ａ（外周）を覆う。このプーリ押圧部１０は、クランクプーリ２のプーリ溝２ａに沿うように円弧状に湾曲され、少なくともＶリブドベルト４のベルト幅４ｗ以上の幅を有している。
【００３２】
プーリ押圧部１０の裏側には、クランクプーリ２の５つのプーリ溝２ａと嵌合可能な５つのリブ１２が形成されている。本実施形態では、リブ１２の数は、クランクプーリ２の外周面に設けられた５つのプーリ溝２ａと同一数の５つである。
【００３３】
プーリ押圧部１０の側面には、クランクプーリ２の側面２ｃからプーリフランジ２ｂ（第一プーリの縁）を跨いでクランクプーリ２の外周に導入されるＶリブドベルト４を屈曲してクランクプーリ２の外周に沿わせるための屈曲案内部１１が設けられている。この屈曲案内部１１は、Ｖリブドベルト４がクランクプーリ２の外周に導入される側、即ち、プーリ押圧部１０の側面１０ａの第二回転方向Ｂ側に配されている。また、屈曲案内部１１は、プーリ押圧部１０の表面に沿ってクランクプーリ２に導入されるＶリブドベルト４を屈曲してクランクプーリ２のプーリ溝２ａに沿わせるための曲面１１ａを有している。また、屈曲案内部１１は、曲面１１ａ部分がプーリ押圧部１０表面上に張り出し、平面視でＬ字型をしている。更に、この曲面１１ａは、クランクプーリ２の径方向外方へ、少なくともＶリブドベルト４のベルト幅４ｗよりも長く延在している。
【００３４】
プーリ押圧部１０の側面１０ａには、クランクプーリ２の側面２ｃに当接する当接部１５が設けられている。当接部１５は、プーリ押圧部１０の５つのリブ１２をクランクプーリ２の５つのプーリ溝２ａに嵌合したとき、図２に示されるクランクプーリ２の側面２ｃに対して当接ないし密着するよう、図５（ｂ）に示すように、プーリ押圧部１０の側面１０ａからクランクプーリ２の軸に向かって延在する。当接部１５においてＶリブドベルト４と接触する縁には面取りがなされ曲面形状になっている。これは、巻掛け時にＶリブドベルト４を損傷させないために設けている。なお、当接部１５は、屈曲案内部１１を設けた側面１０ａと同一の側面であり、且つ、少なくとも屈曲案内部１１を設けた側とは反対側の側面領域に設けられていればよい。即ち、ベルト取付治具９がクランクプーリ２の外周に配置されて、当接部１５がクランクプーリ２の側面２ｃに当接した状態で、当接部１５は、Ｖリブドベルト４が跨ぐプーリフランジ２ｂ部分に配置されていればよい。
【００３５】
（ベルト取付治具の使用方法）
次に、図６〜図９を参照しつつ、上記のベルト取付治具９の使用方法を説明する。図６は、ベルト取付治具９の使用方法の第一説明図である。図７は、ベルト取付治具９の使用方法の第二説明図である。図８は、ベルト取付治具９の使用方法の第三説明図である。図９は、ベルト取付治具９の使用方法の第四説明図である。
【００３６】
先ず、図６に示されるように、クランクプーリ２のボス部５にレンチ１７の円筒形状である連結部１７ａを連結し、クランクプーリ２を手動で自由に回転できるようにする。
【００３７】
＜手順（ａ）＞
次に、ベルト取付治具９の屈曲案内部１１及び当接部１５が設けられている側面１０ａがクランクプーリ２の側面２ｃに接するようにして、プーリ押圧部１０の裏面に設けられたリブ１２をクランクプーリ２の外周面に設けられたプーリ溝２ａに嵌合させる。
【００３８】
＜手順（ｂ）＞
この状態で、図６に示すように、Ｖリブドベルト４をオルタネータプーリ３に巻掛けすると共に、クランクプーリ２の側面２ｃからプーリフランジ２ｂをカバーした当接部１５を跨いで、屈曲案内部１１で屈曲させたうえでプーリ押圧部１０上を交差させてクランクプーリ２の外周に沿わせる。
【００３９】
詳しくは、オルタネータプーリ３に巻掛けしたＶリブドベルト４は、Ｖリブドベルト４の移動方向と反対の方向に順に、即ち、レンチ１７の連結部１７ａ、ベルト取付治具９、クランクプーリ２のプーリ溝２ａに対してこの順番で巻掛けする。即ち、Ｖリブドベルト４を、先ず、レンチ１７の連結部１７ａに巻き掛ける。オルタネータプーリ３と連結部１７ａとの間におけるＶリブドベルト４の捩じれは略ゼロ度である。次に、Ｖリブドベルト４を屈曲案内部１１に引っ掛け、クランクプーリ２のプーリ溝２ａに沿わせる。このとき、ベルト取付治具９がクランクプーリ２のプーリ溝２ａから離れないように注意する。
【００４０】
＜手順（ｃ）＞
次に、図７に示すように、屈曲案内部１１におけるＶリブドベルト４を屈曲させる曲面１１ａ側を回転方向として、即ち、第一回転方向Ａにクランクプーリ２を回転させる。
【００４１】
詳しくは、先ず、図６の状態から図７の状態となるようにクランクプーリ２を、第一回転方向Ａに回転させる。すると、Ｖリブドベルト４には、伸張されることにより高い張力が発生する。上記張力は、Ｖリブドベルト４がプーリ押圧部１０上を交差しているのでプーリ押圧部１０をクランクプーリ２のプーリ溝２ａに対して押圧する押圧作用として働き、プーリ押圧部１０の裏面に設けられた５つのリブ１２とクランクプーリ２の外周面に設けられたプーリ溝２ａとの嵌合をより強固にする。
【００４２】
継続して、図８の状態から図９の状態となるようにクランクプーリ２を、第一回転方向Ａに回転させる。すると、クランクプーリ２の側面２ｃ上にあるＶリブドベルト４がプーリフランジ２ｂを乗り越えて、プーリ押圧部１０上に移動する。
【００４３】
詳しくは、クランクプーリ２を、第一回転方向Ａに回転させると、クランクプーリ２のプーリ溝２ａに対するＶリブドベルト４の嵌合の領域が徐々に広範になる。
【００４４】
更に、クランクプーリ２を、第一回転方向Ａに回転させる。すると、プーリ押圧部１０上のＶリブドベルト４がプーリ押圧部１０を離れてクランクプーリ２の外周へと移動する。この移動後、ベルト取付治具９をクランクプーリ２の外周から回収する。
【００４５】
以上説明したように、本実施形態に係るベルト取付治具９は、以下のように構成される。ベルト取付治具９は、クランクプーリ２の外周上に配置され、クランクプーリ２の側面２ｃからプーリフランジ２ｂを跨いでクランクプーリ２の外周に導入されるＶリブドベルト４の張力によってクランクプーリ２の外周に対して押圧されるプーリ押圧部１０と、プーリ押圧部１０の側面１０ａに設けられ、クランクプーリ２の側面２ｃからプーリ押圧部１０上を交差してクランクプーリ２の外周に導入されるＶリブドベルト４を屈曲してクランクプーリ２の外周に沿わせるための屈曲案内部１１と、プーリ押圧部１０の裏面に設けられ、クランクプーリ２の外周面に設けられたプーリ溝２ａに嵌合する嵌合部としてのリブ１２と、を備えている。
【００４６】
上記ベルト取付治具９は、引例治具１と比較して、引例治具１が備える挟着部表面に傾斜面及びガイド面を有さない構造をしており、この傾斜面及びガイド面を形成する領域（プーリ押圧部１０の厚み）を確保する必要はなく、プーリ押圧部１０の厚みを薄くしてコンパクトな構成にすることができる。
【００４７】
また、上記ベルト取付治具９において、プーリ押圧部１０の側面１０ａに設けられた屈曲案内部１１は、少なくともＶリブドベルト４を屈曲させる曲面１１ａがプーリ押圧部１０表面上に張り出し、Ｌ字型をしている。
【００４８】
上記の構成によれば、屈曲案内部１１の強度をあげることができる。これにより、屈曲案内部１１にかかるＶリブドベルト４の張力に十分に耐えることができる。
【００４９】
また、上記ベルト取付治具９では、プーリ押圧部１０の側面１０ａに、クランクプーリ２の側面２ｃに当接する当接部１５を備えている。
【００５０】
このようにクランクプーリ２の側面２ｃに当接する当接部１５を設けることにより、クランクプーリ２の外周上でのベルト取付治具９の姿勢が一層安定し、もって、Ｖリブドベルト４の張力によってベルト取付治具９がクランクプーリ２の外周から外れてしまうのを抑制できる。また、当接部１５は、クランクプーリ２の側面２ｃに当接した状態で、Ｖリブドベルト４が跨ぐプーリフランジ２ｂ部分に位置するため、ベルト取付治具９を使用する際に、Ｖリブドベルト４とプーリフランジ２ｂとが接触するのを防ぎ、もって、Ｖリブドベルト４が損傷するのを防止することができる。
【００５１】
また、上記ベルト取付治具９において、プーリ押圧部１０の裏側には、クランクプーリ２の５つのプーリ溝２ａと嵌合可能な５つのリブ１２が形成されている。
【００５２】
上記の構成によれば、プーリ押圧部１０の裏面に、嵌合部としてクランクプーリ２の外周面に設けられたプーリ溝２ａの数と同一数のリブ１２を設けることにより、クランクプーリ２の外周面に設けられたプーリ溝２ａとプーリ溝２ａと同一数のリブ１２とをより強固に嵌合させることができる。そうすると、クランクプーリ２の外周上でのベルト取付治具９の姿勢が一層安定し、もって、Ｖリブドベルト４の張力によってベルト取付治具９がクランクプーリ２の外周から外れてしまうのを抑制できる。
【００５３】
（第２実施形態）
次に、図１０及び図１１を参照しつつ、第２実施形態に係るベルト取付治具２９の構成を説明する。なお、第１実施形態と同様の箇所は説明を省略して説明する。図１０（ａ）〜（ｄ）は、夫々、上記ベルト取付治具２９を異なる方向から見た斜視図である。図１１は、本発明の第２実施形態に係るベルト取付治具２９の六面図である。
【００５４】
図１０及び図１１には、コンパクトであってまとまりよく、一体的に形成されたベルト取付治具２９が様々な方向から描かれている。
【００５５】
図１０及び図１１に示すように、ベルト取付治具２９は、プーリ押圧部３０と、プーリ押圧部３０の裏面に設けられたリブ３２と、屈曲案内部３１とを主たる構成として備える。このベルト取付治具２９は、更に、当接部３５を備える。このベルト取付治具２９は、クランクプーリ２幅に略等しく、クランクプーリ２の外周に当接して使用するものであって、屈曲案内部３１及び当接部３５が図１に示されるクランクプーリ２の側面２ｃ上方に位置するように向きを定めて用いる。
【００５６】
プーリ押圧部３０は、図１０及び図１１に示すようにベルト取付治具２９がクランクプーリ２の外周に当接された状態で、プーリ溝２ａ（外周）を覆う。このプーリ押圧部３０は、クランクプーリ２のプーリ溝２ａに沿うように円弧状に湾曲され、少なくともＶリブドベルト４のベルト幅４ｗ以上の幅を有している。更に、第１実施形態のプーリ押圧部１０とは異なり、図１０及び図１１に示すように、プーリ押圧部３０は屈曲案内部３１にＶリブドベルト４を沿わせた形状と略同一形状をしている。即ち、ベルト取付治具２９を使用する際に、Ｖリブドベルト４をプーリ押圧部３０上に掛けた時にプーリ押圧部３０の表面がほぼ見えなくなる形状である。
【００５７】
プーリ押圧部３０の裏側には、クランクプーリ２の１つのプーリ溝２ａと嵌合可能な１つのリブ３２が形成されている。第１実施形態の場合とは異なり、リブ１２の数を、１つとしている。
【００５８】
上記の第２実施形態に係るベルト取付治具２９では、プーリ押圧部３０の裏面に、嵌合部として１つだけリブ３２を設けている。これによれば、ベルト取付治具２９の構造を簡素化してよりコンパクトにすることができる。なお、クランクプーリ２の外周上でのベルト取付治具２９の姿勢が不安定化するとも思えるが、この一つのリブ３２と当接部３５とでクランクプーリ２を挟持することで、クランクプーリ２の外周上でのベルト取付治具２９の姿勢の安定化を図っている。
【００５９】
また、上記ベルト取付治具２９において、プーリ押圧部３０は、屈曲案内部３１にＶリブドベルト４を沿わせた形状をしているため、プーリ押圧部３０を必要最小限度のコンパクトな構造にすることができる。また、プーリ押圧部３０の表面積を減らすことで、Ｖリブドベルト４がプーリ押圧部３０をクランクプーリ２の外周に対して押圧する単位面積あたりの押圧力を大きくすることができる。これにより、クランクプーリ２の外周上でのベルト取付治具２９の姿勢が一層安定し、もって、Ｖリブドベルト４の張力によってベルト取付治具２９がクランクプーリ２の外周から外れてしまうのを抑制できる。
【００６０】
以上、本発明の実施形態について説明したが、本発明は上述の実施の形態に限られるものではなく、特許請求の範囲に記載した限りにおいて様々に変更して実施することができるものである。
【符号の説明】
【００６１】
１  エンジン本体
２  クランクプーリ
２ａ  プーリ溝
２ｂ  プーリフランジ
２ｃ  クランクプーリ２の側面
３  オルタネータプーリ
４  Ｖリブドベルト
９  ベルト取付治具
１０  プーリ押圧部
１０ａ  プーリ押圧部１０の側面
１１  屈曲案内部
１１ａ  曲面
１２  リブ
１５  当接部
Ａ  第一回転方向
Ｂ  第二回転方向
【図１】
2011208753.tif 000003
【図２】
2011208753.tif 000004
【図３】
2011208753.tif 000005
【図４】
2011208753.tif 000006
【図５】
2011208753.tif 000007
【図６】
2011208753.tif 000008
【図７】
2011208753.tif 000009
【図８】
2011208753.tif 000010
【図９】
2011208753.tif 000011
【図１０】
2011208753.tif 000012
【図１１】
2011208753.tif 000013